(57)【要約】【課題】対象者の快適性を維持しながらも省エネを図ることができる空調システム及び空調方法を提供する。【解決手段】室内全体の空調を行うエアコン１０・１０と、前記室内の温度を検出する温度センサ３０と、前記室内に在室している対象者の周囲の局所的な空調を行う扇風機と、前記扇風機による空調の対象となる対象者が感じる快適さの度合いである快適度を検出する快適度申告ダイヤルと、温度センサ３０により検出される温度及び前記快適度申告ダイヤルにより検出される快適度に基づいて、前記快適度が改善するようにエアコン１０・１０及び前記扇風機の運転を制御するパソコン５０と、を具備する空調システム３であって、パソコン５０は、前記扇風機の制御を優先して行い、前記扇風機の制御ではそれ以上前記快適度を改善することができない場合に初めてエアコン１０・１０の制御を行う。【選択図】図１
2015017767.tif 000002
【特許請求の範囲】
【請求項１】
室内全体の空調を行うアンビエント空調手段と、
前記室内の温度を検出する室内温度検出手段と、
前記室内に在室している対象者の周囲の局所的な空調を行うタスク空調手段と、
前記タスク空調手段による空調の対象となる対象者が感じる快適さの度合いである快適度を検出する快適度検出手段と、
前記室内温度検出手段により検出される温度及び前記快適度検出手段により検出される快適度に基づいて、前記快適度が改善するように前記アンビエント空調手段及び前記タスク空調手段の運転を制御する制御手段と、
を具備する空調システムであって、
前記制御手段は、
前記タスク空調手段の制御を優先して行い、前記タスク空調手段の制御ではそれ以上前記快適度を改善することができない場合に初めて前記アンビエント空調手段の制御を行うことを特徴とする、
空調システム。
【請求項２】
前記制御手段は、
前記アンビエント空調手段による空調設定温度が可能な限り高くなるように、前記タスク空調手段及び前記アンビエント空調手段の制御を行うことを特徴とする、
請求項１に記載の空調システム。
【請求項３】
前記快適度とは、寒暖に関して対象者が感じる快適さの度合いであり、
前記制御手段は、
前記快適度検出手段により検出される複数の対象者の快適度が相反する場合、前記タスク空調手段の制御で当該複数の対象者の快適度を改善できる範囲で、前記アンビエント空調手段による空調設定温度が可能な限り高くなるように、当該アンビエント空調手段の制御を行うことを特徴とする、
請求項２に記載の空調システム。
【請求項４】
前記制御手段は、
前記室内温度検出手段により検出される温度の変化に基づいて前記快適度検出手段により検出される快適度の変化を予測して、前記タスク空調手段の制御を行うことを特徴とする、
請求項１から請求項３までのいずれか一項に記載の空調システム。
【請求項５】
室内に在室している対象者が感じる快適さの度合いである快適度及び前記室内の温度に基づいて、前記快適度が改善するように前記対象者の周囲の局所的な空調及び前記室内全体の空調を行う空調方法であって、
前記局所的な空調を優先して行い、前記局所的な空調ではそれ以上前記快適度を改善することができない場合に初めて前記室内全体の空調を行うことを特徴とする、
空調方法。
【発明の詳細な説明】
【技術分野】
【０００１】
本発明は、室内に在室している対象者の周囲の局所的な空調、及び前記室内全体の空調を行う空調システム及び空調方法の技術に関する。
【背景技術】
【０００２】
従来、室内に在室している対象者の周囲の局所的な空調、及び前記室内全体の空調を行う空調システム及び空調方法の技術は公知となっている。例えば、特許文献１に記載の如くである。
【０００３】
特許文献１には、居室環境を全体的に調整するアンビエント空調手段（アンビエント空調設備）と、居室環境を局所的に調整するタスク空調手段（タスク空調設備）と、を具備する空調システムが記載されている。タスク空調手段は、床に設けられた複数の吹出口から調整された空気を吹き出させることによって、局所的な空調を可能としている。
【０００４】
このように構成された空調システムでは、アンビエント空調手段による空調に加えて、タスク空調手段の任意の吹出口から空気を吹き出す局所的な空調を行うことによって、室内の温度分布のムラの抑制や、室内に在室している対象者（人）個々人の快適性に応じた空調を行うことができる。
【０００５】
しかしながら、このような空調システムにおいては、アンビエント空調手段の運転とタスク空調手段の運転とを組み合わせた制御が複雑であり、対象者の快適性を維持しつつ省エネを図ることが困難であった。
【先行技術文献】
【特許文献】
【０００６】
【特許文献１】特開２０１１−２１０４号公報
【発明の概要】
【発明が解決しようとする課題】
【０００７】
本発明は以上の如き状況に鑑みてなされたものであり、その解決しようとする課題は、対象者の快適性を維持しながらも省エネを図ることができる空調システム及び空調方法を提供することである。
【課題を解決するための手段】
【０００８】
本発明の解決しようとする課題は以上の如くであり、次にこの課題を解決するための手段を説明する。
【０００９】
即ち、請求項１においては、室内全体の空調を行うアンビエント空調手段と、前記室内の温度を検出する室内温度検出手段と、前記室内に在室している対象者の周囲の局所的な空調を行うタスク空調手段と、前記タスク空調手段による空調の対象となる対象者が感じる快適さの度合いである快適度を検出する快適度検出手段と、前記室内温度検出手段により検出される温度及び前記快適度検出手段により検出される快適度に基づいて、前記快適度が改善するように前記アンビエント空調手段及び前記タスク空調手段の運転を制御する制御手段と、を具備する空調システムであって、前記制御手段は、前記タスク空調手段の制御を優先して行い、前記タスク空調手段の制御ではそれ以上前記快適度を改善することができない場合に初めて前記アンビエント空調手段の制御を行うものである。
【００１０】
請求項２においては、前記制御手段は、前記アンビエント空調手段による空調設定温度が可能な限り高くなるように、前記タスク空調手段及び前記アンビエント空調手段の制御を行うものである。
【００１１】
請求項３においては、前記快適度とは、寒暖に関して対象者が感じる快適さの度合いであり、前記制御手段は、前記快適度検出手段により検出される複数の対象者の快適度が相反する場合、前記タスク空調手段の制御で当該複数の対象者の快適度を改善できる範囲で、前記アンビエント空調手段による空調設定温度が可能な限り高くなるように、当該アンビエント空調手段の制御を行うものである。
【００１２】
請求項４においては、前記制御手段は、前記室内温度検出手段により検出される温度の変化に基づいて前記快適度検出手段により検出される快適度の変化を予測して、前記タスク空調手段の制御を行うものである。
【００１３】
請求項５においては、室内に在室している対象者が感じる快適さの度合いである快適度及び前記室内の温度に基づいて、前記快適度が改善するように前記対象者の周囲の局所的な空調及び前記室内全体の空調を行う空調方法であって、前記局所的な空調を優先して行い、前記局所的な空調ではそれ以上前記快適度を改善することができない場合に初めて前記室内全体の空調を行うものである。
【発明の効果】
【００１４】
本発明の効果として、以下に示すような効果を奏する。
【００１５】
請求項１においては、タスク空調手段による局所的な空調を、アンビエント空調手段による室内全体の空調に優先して行うことで、対象者の快適性を維持しながらも省エネを図ることができる。
【００１６】
請求項２においては、アンビエント空調手段による室内全体の空調を抑えることができ、より省エネを図ることができる。
【００１７】
請求項３においては、複数の対象者の快適度が相反する場合であっても、省エネを図りながら当該対象者の快適性を維持することができる。
【００１８】
請求項４においては、対象者の快適な状態を維持することができる。
【００１９】
請求項５においては、局所的な空調を、室内全体の空調に優先して行うことで、対象者の快適性を維持しながらも省エネを図ることができる。
【図面の簡単な説明】
【００２０】
【図１】本発明の一実施形態に係る空調システムの全体的な構成を示した模式図。
【図２】空調システムによる空調方法を示したフロー図。
【図３】同じく、空調方法の続きを示したフロー図。
【図４】扇風機快適体感制御の内容を示したフロー図。
【図５】エアコン温度設定制御の内容を示したフロー図。
【図６】同じく、エアコン温度設定制御の続きを示したフロー図。
【図７】（ａ）ｘ１＜ｄｔｍａｘである場合の空調設定温度Ｔｅの設定の様子を示す図。（ｂ）ｘ１≧ｄｔｍａｘである場合の空調設定温度Ｔｅの設定の様子を示す図。
【図８】エアコン冷風制御の内容を示したフロー図。
【図９】快適度検出手段の変形例を示した模式図。
【図１０】複数の対象者に対して１つの扇風機を設けた構成を示した模式図。
【発明を実施するための形態】
【００２１】
まず、図１を用いて、本発明に係る空調システムの実施の一形態である空調システム３の構成について説明する。
【００２２】
空調システム３は、部屋１の内部（室内）に在室している人の快適度が改善するように、室内の空調（空気調和）を行うものである。本実施形態においては、空調システム３が設けられる部屋１内には、３人の人（対象者（第一対象者２ａ、第二対象者２ｂ及び第三対象者２ｃ））が在室しているものとする。空調システム３は、主としてエアコン１０・１０、扇風機（第一扇風機２１、第二扇風機２２及び第三扇風機２３）、温度センサ３０、快適度申告ダイヤル（第一快適度申告ダイヤル４１、第二快適度申告ダイヤル４２及び第三快適度申告ダイヤル４３）及びパソコン５０を具備する。
【００２３】
エアコン１０・１０は、本発明に係るアンビエント空調手段の実施の一形態である。エアコン１０・１０は、部屋１の室内全体の空調を行うものである。エアコン１０・１０は、部屋１内の適宜の位置に配置される。エアコン１０は、低温に冷却された空気（冷風）を吹き出すことが可能である。エアコン１０の運転（すなわち、冷風を吹き出す「入」状態と当該吹き出しを停止している「切」状態との切り替え）を適宜制御することで、部屋１の室内全体の空気の温度を任意に調整することができる。
【００２４】
前記扇風機（第一扇風機２１、第二扇風機２２及び第三扇風機２３）は、本発明に係るタスク空調手段の実施の一形態である。前記扇風機は、部屋１の室内に在室している対象者の周囲の局所的な空調を行うものである。第一扇風機２１は第一対象者２ａに、第二扇風機２２は第二対象者２ｂに、第三扇風機２３は第三対象者２ｃに、それぞれ対応して配置される。各扇風機は対応する各対象者に向けて配置され、当該対象者に向けて風を発生させる（送風する）ことができる。各扇風機は、その風量を「弱」（最も風が弱い）、「中」、「強」（最も風が強い）、又は「切」（送風を停止した状態）の４段階に変更することができる。各扇風機の運転（すなわち、４段階の風量）を適宜制御することで、対象者の周囲の局所的な空調を任意に行うことができる。
【００２５】
前記扇風機が対象者に向けて送風すると、当該対象者の体感温度が減少する。本実施形態においては、当該体感温度の減少値（以下では、体感温度減少値ｄｔとする）は、扇風機の風量が「弱」である場合には１．５（℃）、「中」である場合には２．３（℃）、「強」である場合には２．８（℃）、「切」である場合には０（℃）であるものとする。また、以下では扇風機の風量が最大（「強」）である場合の体感温度減少値ｄｔ（＝２．８（℃））を最大体感温度減少値ｄｔｍａｘとする。これらの体感温度減少値ｄｔの具体的な値は一例であり、実験や数値解析等によって適宜値を決定することが可能である。これらの体感温度減少値ｄｔの値は、後述するパソコン５０に予め記憶される。
【００２６】
温度センサ３０は、本発明に係る室内温度検出手段の実施の一形態である。温度センサ３０は、部屋１の室内の温度（以下では、室温Ｔｒとする）を検出するものである。温度センサ３０は、部屋１内で、前記扇風機による空調の影響を受けない（前記扇風機からの風を受けない）位置に配置される。
【００２７】
前記快適度申告ダイヤル（第一快適度申告ダイヤル４１、第二快適度申告ダイヤル４２及び第三快適度申告ダイヤル４３）は、本発明に係る快適度検出手段の実施の一形態である。前記快適度申告ダイヤルは、各対象者が感じる快適さの度合いである快適度を検出するものである。第一快適度申告ダイヤル４１は第一対象者２ａに、第二快適度申告ダイヤル４２は第二対象者２ｂに、第三快適度申告ダイヤル４３は第三対象者２ｃに、それぞれ対応して配置される。各快適度申告ダイヤルは、「暑い」、「やや暑い」、「どちらでもない」、「やや寒い」、「寒い」の５段階の位置に切り替えることができる。すなわち、本実施形態における快適度は、当該５段階の値を取り得る。各対象者は、各快適度申告ダイヤルの位置を、温度に関して自らが感じている快適さ（快適度）に最も近い位置に切り替えることで、快適度を申告することができる。なお、本実施形態に係る空調システム３は室内の温度を調整するものであるため、本実施形態では、快適度とは寒暖に関して各対象者が感じる快適さの度合いを指すものとする。
【００２８】
パソコン５０は、本発明に係る制御手段の実施の一形態である。パソコン５０は、温度センサ３０により検出される部屋１の室内の温度及び前記快適度申告ダイヤルにより検出される各対象者の快適度に基づいて、当該快適度が改善するようにエアコン１０及び前記扇風機の運転を制御するものである。
ここで、「快適度が改善する」とは、対象者が温度に関してより快適に感じるようになることを意味する。
パソコン５０は、ＲＡＭやＲＯＭ等の記憶部、ＣＰＵ等の演算処理部等により構成され、種々の情報に基づいて所定の演算処理や記憶等を行うことができる
【００２９】
パソコン５０はエアコン１０・１０に接続され、当該エアコン１０・１０の運転を制御することができる。
パソコン５０は各扇風機に接続され、当該扇風機の運転を制御することができる。
パソコン５０は温度センサ３０に接続され、当該温度センサ３０によって検出された室温Ｔｒに関する情報を常時取得することができる。
パソコン５０は各快適度申告ダイヤルに接続され、当該各快適度申告ダイヤルによって検出された各対象者の快適度に関する情報を常時取得することができる。
【００３０】
次に、図２から図８までを用いて、上述の如く構成された空調システム３において、パソコン５０がエアコン１０及び各扇風機の運転を制御することによって、部屋１の室内の空調を行う様子（空調方法）について詳細に説明する。
【００３１】
なお、以下で述べる図２のステップＳ１０１から図３のステップＳ１１３までの処理（快適度に基づく各扇風機の制御や、後述する快適体感温度Ｔの設定等）は、各対象者それぞれについて行われる。また、図３のステップＳ１１４及びステップＳ１１５のエアコン１０・１０の運転に関する処理は、対象者全員の快適体感温度Ｔや快適度に基づいて行われる。
【００３２】
また、本実施形態において、以下で述べるパソコン５０による制御を開始する時点では、エアコン１０は「切」状態、各扇風機の風量は「切」、各快適度申告ダイヤルの位置は「どちらでもない」、であるものとする。また、パソコン５０による制御を開始する時点では、後述する快適体感温度Ｔは不明であるものとする。
【００３３】
図２のステップＳ１０１において、パソコン５０は、各快適度申告ダイヤルによって検出された各対象者の快適度を取得する。
パソコン５０は、当該ステップＳ１０１の処理を行った後、ステップＳ１０２に移行する。
【００３４】
ステップＳ１０２において、パソコン５０は、ステップＳ１０１において取得された各対象者の快適度をそれぞれ判定する。
快適度が「暑い」である場合、パソコン５０はステップＳ１０３に移行する。
快適度が「やや暑い」である場合、パソコン５０はステップＳ１０４に移行する。
快適度が「どちらでもない」である場合、パソコン５０はステップＳ１０５に移行する。
快適度が「やや寒い」である場合、パソコン５０はステップＳ１０６に移行する。
快適度が「寒い」である場合、パソコン５０はステップＳ１０７に移行する。
【００３５】
ステップＳ１０３において、パソコン５０は、「暑い」と申告した対象者に対応する扇風機の風量を２段階強くする。
なお、この風量の変更の要求が、当該扇風機の風量の最大値（「強」）を超えるものである場合（例えば、もともと扇風機の風量が「中」であって、あと１段階しか強くすることができない場合等）には、パソコン５０は扇風機の風量を最も強い「強」に変更する。
パソコン５０は、当該ステップＳ１０３の処理を行った後、ステップＳ１０８に移行する。
【００３６】
ステップＳ１０４において、パソコン５０は、「やや暑い」と申告した対象者に対応する扇風機の風量を１段階強くする。
なお、この風量の変更の要求が、当該扇風機の風量の最大値（「強」）を超えるものである場合（すなわち、もともと扇風機の風量が「強」である場合）には、パソコン５０は扇風機の風量を「強」のまま維持する。
パソコン５０は、当該ステップＳ１０４の処理を行った後、ステップＳ１０８に移行する。
【００３７】
ステップＳ１０３又はステップＳ１０４から移行したステップＳ１０８において、パソコン５０は、ステップＳ１０３又はステップＳ１０４で要求された扇風機の風量の変更（２段階又は１段階強くする変更）が、当該扇風機の風量の最大値（「強」）を超えるものであったか否かを判定する。
具体的には、ステップＳ１０２からステップＳ１０３に移行する際にすでに扇風機の風量が「強」又は「中」であった場合、及びステップＳ１０２からステップＳ１０４に移行する際にすでに扇風機の風量が「強」であった場合は、ステップＳ１０３又はステップＳ１０４で要求された扇風機の風量の変更が、当該扇風機の風量の最大値（「強」）を超えるものであると判定する。
パソコン５０は、ステップＳ１０３又はステップＳ１０４で要求された扇風機の風量の変更が、当該扇風機の風量の最大値を超えるものではないと判定した場合、図３のステップＳ１１０に移行する。
パソコン５０は、ステップＳ１０３又はステップＳ１０４で要求された扇風機の風量の変更が、当該扇風機の風量の最大値を超えるものであると判定した場合、図３のステップＳ１１１に移行する。
【００３８】
ステップＳ１０８から移行したステップＳ１１０において、パソコン５０は、対象者の快適体感温度Ｔの値を、「室温Ｔｒ−体感温度減少値ｄｔ」に設定する。
ここで、「快適体感温度Ｔ」とは、対象者が快適に感じるであろうと推定される体感温度である。すなわちパソコン５０は、現在の室温Ｔｒから現在の扇風機の風量による体感温度減少値ｄｔを差し引いた温度、つまり対象者が現在感じている体感温度が、当該対象者が快適に感じる温度であるものと暫定的に決定（推定）する。
パソコン５０は、当該ステップＳ１１０の処理を行った後、ステップＳ１１４に移行する。
【００３９】
また、ステップＳ１０８から移行したステップＳ１１１において、パソコン５０は、対象者の快適体感温度Ｔの値を、「室温Ｔｒ−最大体感温度減少値ｄｔｍａｘ−０．３」に設定する。
すなわちパソコン５０は、現在の室温Ｔｒから現在の扇風機の風量（最大の風量）による最大体感温度減少値ｄｔｍａｘ及び０．３（℃）を差し引いた温度、つまり対象者が現在感じている体感温度よりもさらに０．３（℃）低い温度が、当該対象者が快適に感じる温度であるものと暫定的に決定する。
これは、図２のステップＳ１０３又はステップＳ１０４で要求された扇風機の風量の変更が当該扇風機の風量の最大値を超えるものであったため（ステップＳ１０８参照）、対象者の快適体感温度Ｔは、現在の体感温度よりも低い温度であると考えられるためである。
なお、当該「０．３（℃）」という値は特に限定するものではなく、任意に設定することができる。
パソコン５０は、当該ステップＳ１１１の処理を行った後、ステップＳ１１４に移行する。ステップＳ１１４以降の処理については後述する。
【００４０】
図２のステップＳ１０２から移行したステップＳ１０６において、パソコン５０は、「やや寒い」と申告した対象者に対応する扇風機の風量を１段階弱くする。
なお、この風量の変更の要求が、当該扇風機の風量の最小値（「切」）を下回るものである場合（すなわち、もともと扇風機の風量が「切」である場合）には、パソコン５０は扇風機の風量を「切」のまま維持する。
パソコン５０は、当該ステップＳ１０６の処理を行った後、ステップＳ１０９に移行する。
【００４１】
ステップＳ１０２から移行したステップＳ１０７において、パソコン５０は、「寒い」と申告した対象者に対応する扇風機の風量を２段階弱くする。
なお、この風量の変更の要求が、当該扇風機の風量の最小値（「切」）を下回るものである場合（例えば、もともと扇風機の風量が「弱」であって、あと１段階しか弱くすることができない場合等）には、パソコン５０は扇風機の風量を最も弱い「弱」に変更する。
パソコン５０は、当該ステップＳ１０７の処理を行った後、ステップＳ１０９に移行する。
【００４２】
ステップＳ１０６又はステップＳ１０７から移行したステップＳ１０９において、パソコン５０は、ステップＳ１０６又はステップＳ１０７で要求された扇風機の風量の変更（１段階又は２段階弱くする変更）が、当該扇風機の風量の最小値（「切」）を下回るものであったか否かを判定する。
具体的には、ステップＳ１０２からステップＳ１０６に移行する際にすでに扇風機の風量が「切」であった場合、及びステップＳ１０２からステップＳ１０７に移行する際にすでに扇風機の風量が「切」又は「弱」であった場合は、ステップＳ１０６又はステップＳ１０７で要求された扇風機の風量の変更が、当該扇風機の最小値（「切」）を下回るものであると判定する。
パソコン５０は、ステップＳ１０６又はステップＳ１０７で要求された扇風機の風量の変更が、当該扇風機の風量の最小値を下回るものではないと判定した場合、図３のステップＳ１１０に移行する。
パソコン５０は、ステップＳ１０６又はステップＳ１０７で要求された扇風機の風量の変更が、当該扇風機の風量の最小値を下回るものであると判定した場合、図３のステップＳ１１２に移行する。
【００４３】
ステップＳ１０９から移行したステップＳ１１０において、パソコン５０は、対象者の快適体感温度Ｔの値を、「室温Ｔｒ−体感温度減少値ｄｔ」に設定する。
当該処理は、前述のステップＳ１０８から移行したステップＳ１１０の処理と同様である。すなわちパソコン５０は、対象者が現在感じている体感温度が、当該対象者が快適に感じる温度であるものと暫定的に決定（推定）する。
パソコン５０は、当該ステップＳ１１０の処理を行った後、ステップＳ１１４に移行する。
【００４４】
また、ステップＳ１０９から移行したステップＳ１１２において、パソコン５０は、対象者の快適体感温度Ｔの値を、「室温Ｔｒ＋０．３」に設定する。
すなわちパソコン５０は、現在の室温Ｔｒに０．３（℃）を足し合わせた温度、つまり対象者が現在感じている体感温度よりもさらに０．３（℃）高い温度が、当該対象者が快適に感じる温度であるものと暫定的に決定する。
これは、図２のステップＳ１０６又はステップＳ１０７で要求された扇風機の風量の変更が当該扇風機の風量の最小値を下回るものであったため（ステップＳ１０９参照）、対象者の快適体感温度Ｔは、現在の体感温度よりも高い温度であると考えられるためである。
なお、当該「０．３（℃）」という値は特に限定するものではなく、任意に設定することができる。
パソコン５０は、当該ステップＳ１１２の処理を行った後、ステップＳ１１４に移行する。ステップＳ１１４以降の処理については後述する。
【００４５】
図２のステップＳ１０２から移行したステップＳ１０５において、パソコン５０は、扇風機快適体感制御を行う。「扇風機快適体感制御」とは、各対象者の快適度の変化を予測して、各扇風機の運転を制御する処理である。以下では図４を用いて、この扇風機快適体感制御の具体的な処理について説明する。
【００４６】
ステップＳ１２１において、パソコン５０は、対象者の快適体感温度Ｔが不明であるか否かを判定する。
具体的には、パソコン５０による制御が開始されてから一度も前記快適度申告ダイヤルの位置が変更されていない（「どちらでもない」のままである）場合、前述の図３のステップＳ１１０、ステップＳ１１１及びステップＳ１１２の処理（快適体感温度Ｔの値の設定）がなされていないため、当該快適体感温度Ｔは不明である。
パソコン５０は、対象者の快適体感温度Ｔが不明ではない（値が設定されている）と判定した場合、ステップＳ１２２に移行する。
パソコン５０は、対象者の快適体感温度Ｔが不明であると判定した場合、当該ステップＳ１０５の処理（扇風機快適体感制御）を終了し、図３のステップＳ１１３に移行する。
【００４７】
ステップＳ１２２において、パソコン５０は、「ｘ０＝ｍｉｎ｜室温Ｔｒ−体感温度減少値ｄｔ−快適体感温度Ｔ｜」の値（最小となるｘ０の値）を算出し、その時の体感温度減少値ｄｔを決定する。
具体的には、上記数式に体感温度減少値ｄｔの取り得る値（本実施形態においては、「１．５」、「２．３」、「２．８」及び「０」の４つの値）を順に代入して、現在の室温Ｔｒから体感温度減少値ｄｔを差し引いた値が、対象者の快適体感温度Ｔに最も近くなるような体感温度減少値ｄｔを決定する。前記扇風機の風量を、決定された体感温度減少値ｄｔに対応する風量となるように制御すれば、対象者の体感温度を最も快適な温度（快適体感温度Ｔに近い温度）に制御することができる。
パソコン５０は、当該ステップＳ１２２の処理を行った後、ステップＳ１２３に移行する。
【００４８】
ステップＳ１２３において、パソコン５０は、ステップＳ１２２で決定された体感温度減少値ｄｔの値を判定する。
体感温度減少値ｄｔが「１．５」である場合、パソコン５０はステップＳ１２４に移行する。
体感温度減少値ｄｔが「２．３」である場合、パソコン５０はステップＳ１２５に移行する。
体感温度減少値ｄｔが「２．８」である場合、パソコン５０はステップＳ１２６に移行する。
体感温度減少値ｄｔが「０」である場合、パソコン５０はステップＳ１２７に移行する。
【００４９】
ステップＳ１２４において、パソコン５０は、体感温度減少値ｄｔが１．５（℃）となるように、前記扇風機の風量を「弱」に制御する。
パソコン５０は、当該ステップＳ１２４の処理を行った後、ステップＳ１０５の処理（扇風機快適体感制御）を終了し、図３のステップＳ１１３に移行する。
【００５０】
ステップＳ１２５において、パソコン５０は、体感温度減少値ｄｔが２．３（℃）となるように、前記扇風機の風量を「中」に制御する。
パソコン５０は、当該ステップＳ１２５の処理を行った後、ステップＳ１０５の処理（扇風機快適体感制御）を終了し、図３のステップＳ１１３に移行する。
【００５１】
ステップＳ１２６において、パソコン５０は、体感温度減少値ｄｔが２．８（℃）となるように、前記扇風機の風量を「強」に制御する。
パソコン５０は、当該ステップＳ１２６の処理を行った後、ステップＳ１０５の処理（扇風機快適体感制御）を終了し、図３のステップＳ１１３に移行する。
【００５２】
ステップＳ１２７において、パソコン５０は、体感温度減少値ｄｔが０（℃）となるように、前記扇風機の風量を「切」に制御する。
パソコン５０は、当該ステップＳ１２７の処理を行った後、ステップＳ１０５の処理（扇風機快適体感制御）を終了し、図３のステップＳ１１３に移行する。
【００５３】
このように、ステップＳ１０５の処理（扇風機快適体感制御）においては、各対象者の快適度が「どちらでもない」であっても、現在の室温Ｔｒ及び各対象者の快適体感温度Ｔに基づいて、各扇風機の風量を調節する。これによって、室温Ｔｒが変化しているものの、各対象者が「やや暑い」や「やや寒い」等の不快感をまだ申告していない（感じていない）場合に、今後各対象者の快適度が変化することを予測した各扇風機の制御を行うことができる。このような制御によって、各対象者の快適度をできるだけ「どちらでもない」（すなわち、快適な状態）に維持することができる。
【００５４】
ステップＳ１０５から移行した図３のステップＳ１１３において、パソコン５０は、対象者の快適体感温度Ｔの値を、そのままの値に維持する。
なお、パソコン５０は、対象者の快適体感温度Ｔが不明である場合には、特に快適体感温度Ｔの値を具体的に設定することはなく、不明のまま維持する。
パソコン５０は、当該ステップＳ１１３の処理を行った後、ステップＳ１１４に移行する。
【００５５】
ステップＳ１１０、ステップＳ１１１、ステップＳ１１２又はステップＳ１１３から移行したステップＳ１１４において、パソコン５０は、エアコン温度設定制御を行う。「エアコン温度設定制御」とは、エアコン１０・１０による部屋１の室内全体の空調の目標値（以下ではこの目標値を、空調設定温度Ｔｅとする）を設定する処理である。以下では図５及び図６を用いて、このエアコン温度設定制御の具体的な処理について説明する。
【００５６】
ステップＳ１３１において、パソコン５０は、対象者全員の快適体感温度Ｔの値を取得する。
パソコン５０は、当該ステップＳ１３１の処理を行った後、ステップＳ１３２に移行する。
【００５７】
ステップＳ１３２において、パソコン５０は、対象者全員の快適体感温度Ｔが不明であるか否かを判定する。
パソコン５０は、対象者全員の快適体感温度Ｔが不明であると判定した場合、ステップＳ１３３に移行する。
パソコン５０は、対象者全員の快適体感温度Ｔが不明ではない（すなわち、少なくとも１人以上の対象者の快適体感温度Ｔの値が設定されている）と判定した場合、ステップＳ１３４に移行する。
【００５８】
ステップＳ１３２から移行したステップＳ１３３において、パソコン５０は、エアコン１０・１０の運転を「切」にすることを決定（設定）する。
パソコン５０は、当該ステップＳ１３３の処理を行った後、ステップＳ１１４の処理（エアコン温度設定制御）を終了し、図３のステップＳ１１５に移行する。
【００５９】
ステップＳ１３２から移行したステップＳ１３４において、パソコン５０は、対象者全員の快適度が「どちらでもない」であるか否かを判定する。
パソコン５０は、対象者全員の快適度が「どちらでもない」であると判定した場合、図６のステップＳ１４０に移行する。ステップＳ１４０以降の処理については後述する。
パソコン５０は、対象者全員の快適度が「どちらでもない」ではない（すなわち、少なくとも１人以上の対象者の快適度が「暑い」、「やや暑い」、「やや寒い」又は「寒い」のいずれかである）と判定した場合、ステップＳ１３５に移行する。
【００６０】
ステップＳ１３５において、パソコン５０は、「「暑い」等」と申告している対象者と、「「寒い」等」と申告している対象者とが混在しているか否か、すなわち複数の対象者の快適度が相反しているか否か、を判定する。
【００６１】
ここでは便宜上、ある対象者に対応する扇風機の風量が「強」であり、かつ当該対象者が申告した快適度が「暑い」又は「やや暑い」である場合を、単に「「暑い」等」と記している。
すなわち、対象者が「「暑い」等」と申告している状態とは、扇風機の風量をそれ以上強くすることができないにもかかわらず、当該対象者がまだ「暑い」又は「やや暑い」と感じている状態である。
【００６２】
同様に、ある対象者に対応する扇風機の風量が「切」であり、かつ当該対象者が申告した快適度が「寒い」又は「やや寒い」である場合を、単に「「寒い」等」と記している。
すなわち、対象者が「「寒い」等」と申告している状態とは、扇風機の風量をそれ以上弱くすることができないにもかかわらず、当該対象者がまだ「やや寒い」又は「寒い」と感じている状態である。
【００６３】
パソコン５０は、「「暑い」等」と申告している対象者と、「「寒い」等」と申告している対象者とが混在していると判定した場合、図６のステップＳ１４０に移行する。ステップＳ１４０以降の処理については後述する。
パソコン５０は、「「暑い」等」と申告している対象者と、「「寒い」等」と申告している対象者とが混在していないと判定した場合、ステップＳ１３６に移行する。
【００６４】
ステップＳ１３６において、パソコン５０は、「「寒い」等」と申告している対象者が存在するか否かを判定する。
パソコン５０は、「「寒い」等」と申告している対象者がいると判定した場合、ステップＳ１３７に移行する。
パソコン５０は、「「寒い」等」と申告している対象者がいないと判定した場合、ステップＳ１３８に移行する。
【００６５】
ステップＳ１３７において、パソコン５０は、エアコン１０・１０による空調設定温度Ｔｅの値を、「室温Ｔｒ＋０．３」に設定する。
このように、「「暑い」等」との申告が無く、「「寒い」等」との申告がある場合には、空調設定温度Ｔｅを現在の室温Ｔｒよりも０．３（℃）高くすることで、「「寒い」等」と申告している対象者の快適度の改善を図ることができる。
なお、当該「０．３（℃）」という値は特に限定するものではなく、任意に設定することができる。
パソコン５０は、当該ステップＳ１３７の処理を行った後、ステップＳ１１４の処理（エアコン温度設定制御）を終了し、図３のステップＳ１１５に移行する。
【００６６】
ステップＳ１３８において、パソコン５０は、「「暑い」等」と申告している対象者が存在するか否かを判定する。
パソコン５０は、「「暑い」等」と申告している対象者がいると判定した場合、ステップＳ１３９に移行する。
パソコン５０は、「「暑い」等」と申告している対象者がいないと判定ステップＳ１１４の処理（エアコン温度設定制御）を終了し、図３のステップＳ１１５に移行する。
【００６７】
ステップＳ１３９において、パソコン５０は、エアコン１０・１０による空調設定温度Ｔｅの値を、「室温Ｔｒ−０．３」に設定する。
このように、「「寒い」等」との申告が無く、「「暑い」等」との申告がある場合には、空調設定温度Ｔｅを現在の室温Ｔｒよりも０．３（℃）低くすることで、「「暑い」等」と申告している対象者の快適度の改善を図ることができる。
なお、当該「０．３（℃）」という値は特に限定するものではなく、任意に設定することができる。
パソコン５０は、当該ステップＳ１３９の処理を行った後、ステップＳ１１４の処理（エアコン温度設定制御）を終了し、図３のステップＳ１１５に移行する。
【００６８】
ステップＳ１３４又はステップＳ１３５から移行した図６のステップＳ１４０において、パソコン５０は、対象者全員の快適体感温度Ｔの中から、最も大きい値である最大快適体感温度Ｔｍａｘ及び最も小さい（低い）値である最低快適体感温度Ｔｍｉｎを取得する。
パソコン５０は、当該ステップＳ１４０の処理を行った後、ステップＳ１４１に移行する。
【００６９】
ステップＳ１４１において、パソコン５０は、「ｘ１＝最大快適体感温度Ｔｍａｘ−最低快適体感温度Ｔｍｉｎ」の値を算出する。
パソコン５０は、当該ステップＳ１４１の処理を行った後、ステップＳ１４２に移行する。
【００７０】
ステップＳ１４２において、パソコン５０は、ステップＳ１４１で算出されたｘ１の値が最大体感温度減少値ｄｔｍａｘ（扇風機の風量が最大（「強」）である場合の体感温度減少値ｄｔ（＝２．８（℃））よりも小さいか否かを判定する。
パソコン５０は、ｘ１の値が最大体感温度減少値ｄｔｍａｘよりも小さいと判定した場合、ステップＳ１４３に移行する。
パソコン５０は、ｘ１の値が最大体感温度減少値ｄｔｍａｘよりも小さくない（すなわち、ｘ１の値が最大体感温度減少値ｄｔｍａｘ以上である）と判定した場合、ステップＳ１４４に移行する。
【００７１】
ステップＳ１４３において、パソコン５０は、空調設定温度Ｔｅの値を、「最低快適体感温度Ｔｍｉｎ＋最大体感温度減少値ｄｔｍａｘ」に設定する。以下、この空調設定温度Ｔｅの設定について、図７（ａ）に示す具体例を用いて説明する。
【００７２】
図７（ａ）に示すように、第一対象者２ａの快適体感温度Ｔが最も大きい値（最大快適体感温度Ｔｍａｘ）であり、第三対象者２ｃの快適体感温度Ｔが最も低い値（最低快適体感温度Ｔｍｉｎ）であるものとする。また、ｘ１の値、すなわち最大快適体感温度Ｔｍａｘと最低快適体感温度Ｔｍｉｎとの差は、最大体感温度減少値ｄｔｍａｘより小さい（図６のステップＳ１４２参照）。
【００７３】
この場合、空調設定温度Ｔｅの値を、「最低快適体感温度Ｔｍｉｎ＋最大体感温度減少値ｄｔｍａｘ」に設定する。すると、各扇風機の風量を制御することで、各対象者の体感温度を空調設定温度Ｔｅから最低快適体感温度Ｔｍｉｎまでの範囲（図７（ａ）中の斜線の範囲）内で調節することができる。
【００７４】
具体的には、室温Ｔｒが空調設定温度Ｔｅになった状態で第三扇風機２３の風量を「強」にすることで、第三対象者２ｃの体感温度が最低快適体感温度Ｔｍｉｎになるように調節することができる。また、その他の対象者の快適体感温度Ｔは、図７（ａ）中の斜線の範囲に含まれているため、各扇風機の風量を適宜調節することで、各対象者の体感温度をそれぞれの快適体感温度Ｔに近い値に調節することができる。
【００７５】
このように、扇風機の風量を最大（「強」）にしたときに、対象者の体感温度が最低快適体感温度Ｔｍｉｎとなるような空調設定温度Ｔｅの値を設定することで、エアコン１０・１０の空調設定温度Ｔｅをできる限り高く維持しながら、各対象者の快適度を改善させることができる。これによって、空調システム３全体の省エネを図ることができる。
【００７６】
パソコン５０は、図６のステップＳ１４３の処理を行った後、ステップＳ１１４の処理（エアコン温度設定制御）を終了し、図３のステップＳ１１５に移行する。
【００７７】
ステップＳ１４４において、パソコン５０は、空調設定温度Ｔｅの値を、「（最低快適体感温度Ｔｍｉｎ＋最大体感温度減少値ｄｔｍａｘ＋最大快適体感温度Ｔｍａｘ）／２」に設定する。以下、この空調設定温度Ｔｅの設定について、図７（ｂ）に示す具体例を用いて説明する。
【００７８】
図７（ｂ）に示すように、第一対象者２ａの快適体感温度Ｔが最も大きい値（最大快適体感温度Ｔｍａｘ）であり、第三対象者２ｃの快適体感温度Ｔが最も低い値（最低快適体感温度Ｔｍｉｎ）であるものとする。また、ｘ１の値、すなわち最大快適体感温度Ｔｍａｘと最低快適体感温度Ｔｍｉｎとの差は、最大体感温度減少値ｄｔｍａｘより大きい（図６のステップＳ１４２参照）。
【００７９】
この場合、空調設定温度Ｔｅの値を、「（最低快適体感温度Ｔｍｉｎ＋最大体感温度減少値ｄｔｍａｘ＋最大快適体感温度Ｔｍａｘ）／２」に設定する。すると、各扇風機の風量を制御することで、各対象者の体感温度を空調設定温度Ｔｅから「空調設定温度Ｔｅ−最大体感温度減少値ｄｔｍａｘ」までの範囲（図７（ｂ）中の斜線の範囲）内で調節することができる。この場合、第一対象者２ａの快適体感温度Ｔ（最大快適体感温度Ｔｍａｘ）と当該範囲（空調設定温度Ｔｅ）との差ｄＴは、第三対象者２ｃの快適体感温度Ｔ（最低快適体感温度Ｔｍｉｎ）と当該範囲（空調設定温度Ｔｅ−最大体感温度減少値ｄｔｍａｘ）との差ｄＴと等しくなる。
【００８０】
この場合には、室温Ｔｒが空調設定温度Ｔｅになった状態で第一扇風機２１の風量を「切」にすることで、第一対象者２ａの体感温度が空調設定温度Ｔｅ（調節可能な範囲内で、できるだけ最大快適体感温度Ｔｍａｘに近い温度）になるように調節することができる。また、第三扇風機２３の風量を「強」にすることで、第三対象者２ｃの体感温度が「空調設定温度Ｔｅ−最大体感温度減少値ｄｔｍａｘ」（調節可能な範囲内で、できるだけ最低快適体感温度Ｔｍｉｎに近い温度）になるように調節することができる。
【００８１】
このように、扇風機の風量を調節したとしても、第一対象者２ａの体感温度が最大快適体感温度Ｔｍａｘになると同時に、第三対象者２ｃの体感温度が最低快適体感温度Ｔｍｉｎになるような空調が不可能である場合には、それぞれの対象者の快適体感温度Ｔと実際の体感温度との差ｄＴが等しくなるように空調設定温度Ｔｅの値を設定する。これによって、各対象者の快適度をバランスよく改善することができる。
【００８２】
パソコン５０は、ステップＳ１４４の処理を行った後、ステップＳ１１４の処理（エアコン温度設定制御）を終了し、図３のステップＳ１１５に移行する。
【００８３】
ステップＳ１１４（ステップＳ１３３、ステップＳ１３８、ステップＳ１３９、ステップＳ１４３又はステップＳ１４４）から移行したステップＳ１１５において、パソコン５０は、エアコン冷風制御を行う。「エアコン冷風制御」とは、ステップＳ１１４において設定された空調設定温度Ｔｅ等に基づいて、エアコン１０・１０の状態を、冷風を吹き出す「入」状態と当該吹き出しを停止する「切」状態との間で適宜切り替える処理である。以下では、図８を用いて、このエアコン冷風制御の具体的な処理について説明する。
【００８４】
ステップＳ１５１において、パソコン５０は、エアコン１０・１０の運転を「切」にすることが決定（設定）されている（図５のステップＳ１３３参照）か否かを判定する。
パソコン５０は、エアコン１０・１０の運転を「切」にすることが決定（設定）されていると判定した場合、ステップＳ１５２に移行する。
パソコン５０は、エアコン１０・１０の運転を「切」にすることが決定（設定）されていないと判定した場合、ステップＳ１５３に移行する。
【００８５】
ステップＳ１５２において、パソコン５０は、エアコン１０・１０を「切」状態に切り替える。すなわち、パソコン５０はエアコン１０・１０による冷風の吹き出しを停止させる。
パソコン５０は、当該ステップＳ１５２の処理を行った後、ステップＳ１１５の処理（エアコン冷風制御）を終了し、図２のステップＳ１０１に再度移行する。
【００８６】
ステップＳ１５３において、パソコン５０は、室温Ｔｒが「空調設定温度Ｔｅ＋０．２」よりも大きいか否かを判定する。
パソコン５０は、室温Ｔｒが「空調設定温度Ｔｅ＋０．２」よりも大きいと判定した場合、ステップＳ１５４に移行する。
パソコン５０は、室温Ｔｒが「空調設定温度Ｔｅ＋０．２」よりも大きくないと判定した場合、ステップＳ１５５に移行する。
【００８７】
ステップＳ１５４において、パソコン５０は、エアコン１０・１０を「入」状態に切り替える。すなわち、パソコン５０はエアコン１０・１０による冷風の吹き出しを行う。
パソコン５０は、当該ステップＳ１５４の処理を行った後、ステップＳ１１５の処理（エアコン冷風制御）を終了し、図２のステップＳ１０１に再度移行する。
【００８８】
ステップＳ１５５において、パソコン５０は、室温Ｔｒが「空調設定温度Ｔｅ−０．２」よりも小さいか否かを判定する。
パソコン５０は、室温Ｔｒが「空調設定温度Ｔｅ−０．２」よりも小さいと判定した場合、ステップＳ１５６に移行する。
パソコン５０は、室温Ｔｒが「空調設定温度Ｔｅ−０．２」よりも小さくないと判定した場合、ステップＳ１５７に移行する。
【００８９】
ステップＳ１５６において、パソコン５０は、エアコン１０・１０を「切」状態に切り替える。すなわち、パソコン５０はエアコン１０・１０による冷風の吹き出しを停止させる。
パソコン５０は、当該ステップＳ１５６の処理を行った後、ステップＳ１１５の処理（エアコン冷風制御）を終了し、図２のステップＳ１０１に再度移行する。
【００９０】
ステップＳ１５７において、パソコン５０は、エアコン１０・１０の状態を現状のまま維持する。
パソコン５０は、当該ステップＳ１５７の処理を行った後、ステップＳ１１５の処理（エアコン冷風制御）を終了し、図２のステップＳ１０１に再度移行する。
【００９１】
なお、上記ステップＳ１５３及びステップＳ１５５における「０．２」という値は特に限定するものではないが、エアコン１０・１０がハンチング（冷風の吹き出しと停止が短時間のうちに何度も交互に切り替えられる状態）を起こさない程度に小さい値に設定されることが望ましい。
【００９２】
パソコン５０は、以上の処理（図２のステップＳ１０１から図３のステップＳ１１５まで）を繰り返し行うことによってエアコン１０・１０及び各扇風機の運転を制御し、各対象者の快適度が改善されるような部屋１の空調を行う。
【００９３】
。
具体的には、パソコン５０は、まず各対象者の快適度に基づいて（図２のステップＳ１０１及びステップＳ１０２）、各扇風機の風量を調節する（ステップＳ１０３からステップＳ１０７まで）。そして、各扇風機の風量の調節だけで各対象者の快適度を改善することができる場合（図５のステップＳ１３５、ステップＳ１３６及びステップＳ１３８がＮｏの場合）には、パソコン５０はエアコン１０・１０の空調設定温度Ｔｅを設定せず、当該エアコン１０・１０を作動させる（すなわち、冷風を吹き出させる）ことはない。
【００９４】
またパソコン５０は、各扇風機の風量の調節だけでは各対象者の快適度を改善することができなくなった場合（図５のステップＳ１３６又はステップＳ１３８がＹｅｓの場合）に、初めてエアコン１０・１０の空調設定温度Ｔｅを設定し（ステップＳ１３７又はステップＳ１３９）、当該エアコン１０・１０による部屋１の室内全体の空調を開始する。このように、各扇風機による空調だけでは不十分な場合にのみエアコン１０・１０による空調を行うことで、空調システム３全体の省エネを図ることができる。
【００９５】
またパソコン５０は、各対象者全員の快適度が「どちらでもない」場合（ステップＳ１３４がＹｅｓの場合）や、「暑い」等と申告している対象者と「寒い」等と申告している対象者が混在している場合（ステップＳ１３５がＹｅｓの場合）には、エアコン１０・１０の空調設定温度Ｔｅをできるだけ高くなるように設定し（図６のステップＳ１４３）、各扇風機の風量の調節だけで各対象者の快適度を改善させる。このように、比較的消費電力が多いエアコン１０・１０の空調設定温度Ｔｅをできるだけ高く設定することで、省エネを図ることができる。さらにパソコン５０は、各扇風機の風量を調節したとしても対象者全員に最適な空調を行うことができない場合（ステップＳ１４２がＮｏの場合）には、各対象者の不快感を均一化するような空調設定温度Ｔｅを設定し（ステップＳ１４４）、各対象者の快適度をバランス良く改善する。
【００９６】
またパソコン５０は、対象者の快適度が「どちらでもない」場合（図２のステップＳ１０５）、すなわち対象者が暑くも寒くもなく快適だと感じている場合であっても、現在の室温Ｔｒ及び各対象者の快適体感温度Ｔに基づいて、各扇風機の風量を各対象者に最適だと考えられる風量に調節する（図４のステップＳ１２２からステップＳ１２７まで）。このようにパソコン５０は、室温Ｔｒが変化した場合には、各対象者が快適度を申告する（不快感を示す）よりも先に各扇風機の風量を調節し、各対象者の快適な環境を極力維持することができる。
【００９７】
またパソコン５０は、室温Ｔｒが「空調設定温度Ｔｅ−０．２≦室温Ｔｒ≦空調設定温度Ｔｅ＋０．２」となるようにエアコン１０・１０の運転を制御する。このように、室温Ｔｒの調節の許容範囲を比較的狭く設定することで、より精度よく各対象者の快適度の改善を図ることができる。
【００９８】
以上の如く、本実施形態に係る空調システム３は、
室内全体の空調を行うエアコン１０・１０（アンビエント空調手段）と、
前記室内の温度を検出する温度センサ３０（室内温度検出手段）と、
前記室内に在室している対象者の周囲の局所的な空調を行う扇風機（第一扇風機２１、第二扇風機２２及び第三扇風機２３）（タスク空調手段）と、
前記扇風機による空調の対象となる対象者が感じる快適さの度合いである快適度を検出する快適度申告ダイヤル（第一快適度申告ダイヤル４１、第二快適度申告ダイヤル４２及び第三快適度申告ダイヤル４３）（快適度検出手段）と、
温度センサ３０により検出される温度及び前記快適度申告ダイヤルにより検出される快適度に基づいて、前記快適度が改善するようにエアコン１０・１０及び前記扇風機の運転を制御するパソコン５０（制御手段）と、
を具備する空調システム３であって、
パソコン５０は、
前記扇風機の制御を優先して行い、前記扇風機の制御ではそれ以上前記快適度を改善することができない場合に初めてエアコン１０・１０の制御を行うものである。
このように構成することにより、対象者が空調手段（前記扇風機やエアコン１０・１０）の操作や設定をしなくても、常に快適な空調を行うことができる。これによって、作業効率や健康の向上を図ることができる。
またこのように構成することにより、前記扇風機による局所的な空調を、エアコン１０・１０による室内全体の空調に優先して行うことで、対象者の快適性を維持しながらも省エネを図ることができる。
【００９９】
また、パソコン５０は、
エアコン１０・１０による空調設定温度Ｔｅが可能な限り高くなるように、前記扇風機及びエアコン１０・１０の制御を行うものである。
このように構成することにより、エアコン１０・１０による室内全体の空調を抑えることができ、より省エネを図ることができる。
【０１００】
前記快適度とは、寒暖に関して対象者が感じる快適さの度合いであり、
パソコン５０は、
前記快適度申告ダイヤルにより検出される複数の対象者の快適度が相反する場合、前記扇風機の制御で当該複数の対象者の快適度を改善できる範囲で、エアコン１０・１０による空調設定温度Ｔｅが可能な限り高くなるように、当該エアコン１０・１０の制御を行うものである。
このように構成することにより、複数の対象者の快適度が相反する場合であっても、省エネを図りながら当該対象者の快適性を維持することができる。
【０１０１】
また、パソコン５０は、
温度センサ３０により検出される温度の変化に基づいて前記快適度申告ダイヤルにより検出される快適度の変化を予測して、前記扇風機の制御を行うものである。
このように構成することにより、対象者の快適な状態を維持することができる。
【０１０２】
また、本実施形態に係る空調方法は、
室内に在室している対象者が感じる快適さの度合いである快適度及び前記室内の温度に基づいて、前記快適度が改善するように前記対象者の周囲の局所的な空調及び前記室内全体の空調を行う空調方法であって、
前記局所的な空調を優先して行い、前記局所的な空調ではそれ以上前記快適度を改善することができない場合に初めて前記室内全体の空調を行うものである。
このように構成することにより、局所的な空調を、室内全体の空調に優先して行うことで、対象者の快適性を維持しながらも省エネを図ることができる。
【０１０３】
なお、本発明に係る空調システムは、本実施形態に限るものではなく、種々の空調システムに適用することが可能である。すなわち、本発明に係る空調システムは、対象者の人数や機器（アンビエント空調手段、タスク空調手段等）の個数、制御を実施する場面（会議中、食事中等）を限定するものではなく、さまざまな空調に適用することが可能である。
【０１０４】
また、本発明に係るアンビエント空調手段は、本実施形態に係るエアコン１０に限るものではない。すなわち、アンビエント空調手段は、部屋１の室内全体の空調を行うことができるものであれば良く、種々の空調設備を用いることが可能である。またアンビエント空調手段は、本実施形態に係るエアコン１０の如く冷風の吹き出し又は停止を切り替えるだけのものではなく、冷風の温度や風量等も調整可能なものであっても良い。
【０１０５】
また、本発明に係るタスク空調手段は、本実施形態に係る扇風機（第一扇風機２１、第二扇風機２２及び第三扇風機２３）に限るものではない。すなわち、タスク空調手段は、対象者の周囲の局所的な空調を行うことができるものであれば良く、種々の空調設備を用いることが可能である。また、タスク空調手段は、本実施形態に係る扇風機の如く風量を３段階に切り替えるだけのものではなく、例えば風量を無段階に変更可能なものや、冷風を送風できるものであっても良い。
【０１０６】
また、本発明に係る室内温度検出手段は、本実施形態に係る温度センサ３０に限るものではない。すなわち、室内温度検出手段は、室内の温度を検出することができるものであれば良く、その種類や個数等を限定するものではない。例えば、部屋１内に複数設けることや、エアコン１０・１０に内蔵されている温度センサを用いることも可能である。
【０１０７】
また、本発明に係る快適度検出手段は、本実施形態に係る快適度申告ダイヤル（第一快適度申告ダイヤル４１、第二快適度申告ダイヤル４２及び第三快適度申告ダイヤル４３）に限るものではない。すなわち、快適度検出手段は、各対象者の快適度を検出することができるものであれば良く、種々のスイッチや操作手段を用いることが可能である。
【０１０８】
また、本発明に係る快適度検出手段は、各対象者の行動を認識して、当該行動から快適度を検出するものであっても良い。例えば図９に示すように、各対象者の行動を認識する行動認識用センサ４５を用いる。当該行動認識用センサ４５は、例えばカメラ等の撮像手段や、当該撮像手段により撮像された映像を解析する制御手段等により構成される。行動認識用センサ４５は、撮像した映像から各対象者の特定の行動（例えば、顔をしかめたり、腕をさすったり、震えたりする行動）を認識し、当該行動の度合い（頻度や継続時間等）から各対象者の快適度を検出することができる。このような行動は、対象者が意識的に行うものだけでなく、快適度の変化に伴って無意識的に行う行動であっても良い。
またこのように、快適度検出手段は、各対象者に対応して１つずつ設ける（図１参照）必要はなく、各対象者の快適度を検出することができるものであれば、その個数を限定するものではない。
【０１０９】
また、本実施形態に係る快適度は５段階であるものとしたが、本発明はこれに限るものではない。すなわち、５段階よりも多い段階に分類されていても、５段階よりも少ない段階に分類されていても良く、また快適度を数値化することで快適度を略無段階に申告可能な構成とすることも可能である。
【０１１０】
また、本発明に係る制御手段は、本実施形態に係るパソコン５０に限るものではない。すなわち、制御手段は、室内の温度及び対象者の快適度に基づいてエアコン１０及び前記扇風機の運転を制御できるものであれば良く、種々の制御装置を用いることが可能である。
【０１１１】
また、本実施形態においては、各対象者が申告する快適度に基づいて快適体感温度Ｔの値を設定するものとしたが、本発明はこれに限るものではない。すなわち、いわゆる学習機能を用いて快適体感温度Ｔの値を設定することも可能である。
例えば、特定の対象者の快適体感温度Ｔを予め記憶しておき、当該対象者が部屋１に入室したときには、当該記憶された快適体感温度Ｔを呼び出して用いる。これによって、当該対象者に適した快適体感温度Ｔを速やかに設定することができ、より速やかに適切な空調を行うことができる。このような特定の対象者の判別は、カメラ等により撮像した映像を解析することなどによって行うことができる。
その他、部屋１内の特定の場所に長時間滞在する対象者がいる場合には、当該対象者の快適体感温度Ｔをその場所における最適な快適体感温度Ｔであるものと学習（記憶）する。そして、他の対象者が同じ場所に来たときには、記憶された当該場所の快適体感温度Ｔを初期値として用いることで、より速やかに適切な空調を行うことができる。
また、これらの学習されたデータは、季節や場面ごと（会議中、食事中、雑談中など）に分類して蓄積することによって、より速やかに適切な空調を行うことができるようになる。
【０１１２】
また、本実施形態においては、１人の対象者に対応して１つの扇風機（タスク空調手段）を設ける構成としたが、本発明はこれに限るものではない。すなわち、図１０に示すように、複数の対象者（例えば、２人の第一対象者２ａ・２ａ）に対して１つの扇風機（例えば、第一扇風機２１）を設ける構成とすることも可能である。この場合には、当該複数の対象者の快適度を平均するなどして１つの快適度を取得（算出）し、当該快適度に基づいて当該扇風機及びエアコン１０・１０の運転を制御することができる。
【符号の説明】
【０１１３】
３      空調システム
１０    エアコン（アンビエント空調手段）
２１    第一扇風機（タスク空調手段）
２２    第二扇風機（タスク空調手段）
２３    第三扇風機（タスク空調手段）
３０    温度センサ（室内温度検出手段）
４１    第一快適度申告ダイヤル（快適度検出手段）
４２    第二快適度申告ダイヤル（快適度検出手段）
４３    第三快適度申告ダイヤル（快適度検出手段）
５０    パソコン（制御手段）
【図１】
2015017767.tif 000003
【図２】
2015017767.tif 000004
【図３】
2015017767.tif 000005
【図４】
2015017767.tif 000006
【図５】
2015017767.tif 000007
【図６】
2015017767.tif 000008
【図７】
2015017767.tif 000009
【図８】
2015017767.tif 000010
【図９】
2015017767.tif 000011
【図１０】
2015017767.tif 000012